(57)【特許請求の範囲】
【請求項１】
通信ネットワーク（２）において１つのＵＭＡ／ＧＡＮ加入者に関連する複数のユーザ装置（８ａ、８ｂ、８ｃ、９）のうち１つに呼をルーティングする方法であって、
各ユーザ装置（８ａ、８ｂ、８ｃ、９）は対応するネットワークアドレスを有すると共に、複数のネットワークアドレスの１つは前記複数のユーザ装置に含まれる１つのＵＭＡ／ＧＡＮ移動体ユーザ装置（８ｂ）に対応し、
前記ＵＭＡ／ＧＡＮ加入者はＵＭＡクライアント（８ｃ）を所有し、
前記通信ネットワーク（２）に含まれるサービス制御エンティティ（１４）が、
前記ＵＭＡ／ＧＡＮ加入者に関連するリストであって、前記ＵＭＡ／ＧＡＮ加入者と関連する所定のホームエリアと重なるセルのエリアを表すホームエリアセル識別子を含む前記リストを記憶するステップと、
前記ＵＭＡ／ＧＡＮ移動体ユーザ装置の位置に関する位置情報を受信するステップと、
前記ＵＭＡ／ＧＡＮ移動体ユーザ装置（８ｂ）が前記ホームエリアの内部にいるか、当該ホームエリアの外部にいるかを判定するステップと、
を実行し、
前記リストは、前記ＵＭＡ／ＧＡＮ移動体ユーザ装置が前記ホームエリアの内部にいると判定された場合に前記呼がルーティングされるべき、前記複数のユーザ装置（８ａ、８ｂ、８ｃ、９）に含まれるユーザ装置の少なくとも１つのネットワークアドレスを表示する第１のインジケータと、前記ＵＭＡ／ＧＡＮ移動体ユーザ装置が前記ホームエリアの外部にいると判定された場合に前記呼がルーティングされるべき、前記複数のユーザ装置に含まれるユーザ装置の少なくとも１つのネットワークアドレスを表示する第２のインジケータとをさらに含み、
前記方法は、さらに、前記移動体ユーザ装置が前記ホームエリアの内部にいると判定された場合に前記第１のインジケータに従って、または、前記移動体ユーザ装置が前記ホームエリアの外部にいると判定された場合に前記第２のインジケータに従って、前記ユーザ装置へ前記呼をルーティングするステップを含み、
前記呼がルーティングされるべき前記ネットワークアドレスは、前記第１のインジケータ又は前記第２のインジケータと、前記ＵＭＡクライアント（８ｃ）がアクティブであるか非アクティブであるかの条件とに従って決定される、
ことを特徴とする方法。
【請求項２】
前記サービス制御エンティティ（１４）は、例えば前記ＵＭＡ／ＧＡＮ加入者が、前記第１のインジケータと前記第２のインジケータとの少なくともいずれかに対して、制御、設定及び変更の少なくともいずれかを行うことができるようにさらに構成される、
ことを特徴とする請求項１に記載の方法。
【請求項３】
前記サービス制御エンティティ（１４）はユーザインタフェース（１６）を備え、前記方法は、前記ユーザインタフェースを用いて、前記第１のインジケータと前記第２のインジケータとの少なくともいずれかを、制御するステップ、設定するステップ、及び変更するステップの少なくともいずれかを含む、
ことを特徴とする請求項２に記載の方法。
【請求項４】
前記サービス制御エンティティ（１４）は、規則に基づいて、前記第１のインジケータと前記第２のインジケータとの少なくともいずれかを自動的に決定するように構成される、
ことを特徴とする請求項１から３のいずれか１項に記載の方法。
【請求項５】
前記通信ネットワーク（２）は、前記ホームエリアにおける、または前記ホームエリアに近接する、移動体家庭用回線エンティティを含む、
ことを特徴とする請求項１から４のいずれか１項に記載の方法。
【請求項６】
前記サービス制御エンティティ（１４）は、前記通信ネットワーク（２）に含まれる交換ノード（６）と位置サーバ（１０）、及び家庭内回線エンティティの少なくともいずれかから、前記ＵＭＡ／ＧＡＮ移動体ユーザ装置にサービスを提供するセルのサービングセル識別子を含む前記位置情報を受信する、
ことを特徴とする請求項１から５のいずれか１項に記載の方法。
【請求項７】
前記ＵＭＡ／ＧＡＮ移動体ユーザ装置（８ｂ）が前記ホームエリアの内部にいるか前記ホームエリアの外部にいるかを判定する前記ステップは、記憶された前記ホームエリアセル識別子と受信した前記サービングセル識別子とを比較することを含む、
ことを特徴とする請求項６に記載の方法。
【請求項８】
前記第１のインジケータと前記第２のインジケータとの少なくともいずれかは、前記複数のユーザ装置（８ａ、８ｂ、８ｃ、９）のうちの１つより多くのユーザ装置へ、並行して、連続して、又は並行かつ連続して、前記呼をルーティングすることを示す、
ことを特徴とする請求項１から７のいずれか１項に記載の方法。
【請求項９】
前記サービス制御エンティティ（１４）は、前記ＵＭＡ／ＧＡＮ移動体ユーザ装置（８ｂ）が前記通信ネットワーク（２）から切断された場合とスイッチがオフとなった場合との少なくともいずれかの場合、前記ＵＭＡ／ＧＡＮ移動体ユーザ装置の位置が前記ＵＭＡ／ＧＡＮ移動体ユーザ装置の最後に知った位置と同一であることを仮定する、
ことを特徴とする請求項１から８のいずれか１項に記載の方法。
【請求項１０】
通信ネットワーク（２）において、ＵＭＡ／ＧＡＮ加入者へインテリジェントネットワークサービスを提供するためのサービス制御エンティティ（１４）であって、
前記ＵＭＡ／ＧＡＮ加入者はＵＭＡクライアント（８ｃ）を含む複数のユーザ装置（８ａ、８ｂ、８ｃ、９）を有し、ユーザ装置のそれぞれは対応するネットワークアドレスを有すると共に複数のネットワークアドレスのうち１つは前記複数のユーザ装置に含まれるＵＭＡ／ＧＡＮ移動体ユーザ装置（８ｂ）に対応し、
前記サービス制御エンティティ（１４）は、処理部（１４ａ）、前記処理部に接続される入力部（１４ｂ）及び前記処理部に接続される出力部（１４ｃ）を備え、前記処理部は、
前記ＵＭＡ／ＧＡＮ加入者に関連するリストであって、前記ＵＭＡ／ＧＡＮ加入者と関連する所定のホームエリアと重なるセルのエリアを表すホームエリアセル識別子を含む前記リストを記憶し、
前記ＵＭＡ／ＧＡＮ移動体ユーザ装置（８ｂ）の位置に関する位置情報を受信し、
前記ＵＭＡ／ＧＡＮ移動体ユーザ装置が前記ホームエリアの内部にいるか、当該ホームエリアの外部にいるかを判定するように構成され、
前記リストは、前記ＵＭＡ／ＧＡＮ移動体ユーザ装置が前記ホームエリアの内部にいると判定された場合に呼がルーティングされるべき、前記複数のユーザ装置に含まれるユーザ装置の少なくとも１つのネットワークアドレスを表示する第１のインジケータと、前記ＵＭＡ／ＧＡＮ移動体ユーザ装置が前記ホームエリアの外部にいると判定された場合に呼がルーティングされるべき、前記複数のユーザ装置に含まれるユーザ装置の少なくとも１つのネットワークアドレスを表示する第２のインジケータとをさらに含み、
前記呼がルーティングされるべき前記ネットワークアドレスは、前記第１のインジケータ又は前記第２のインジケータと、前記ＵＭＡクライアント（８ｃ）がアクティブであるか非アクティブであるかの条件とに従って決定される、
ことを特徴とするサービス制御エンティティ。
【請求項１１】
前記サービス制御エンティティ（１４）は、前記第１のインジケータと前記第２のインジケータとの少なくともいずれかの、制御、設定及び変更の少なくともいずれかを行うために使用するユーザインタフェース（１６）を備える、
ことを特徴とする請求項１０に記載のサービス制御エンティティ。
【請求項１２】
前記サービス制御エンティティ（１４）は、規則に基づいて、前記第１のインジケータと前記第２のインジケータとの少なくともいずれかを自動的に決定するように構成される、
ことを特徴とする請求項１０又は１１に記載のサービス制御エンティティ。
【請求項１３】
前記通信ネットワーク（２）は、前記ホームエリアにおける、または前記ホームエリアに近接する、移動体家庭用回線エンティティを含む、
ことを特徴とする請求項１０から１２のいずれか１項に記載のサービス制御エンティティ。
【請求項１４】
請求項１０から１３のいずれか１項に記載のサービス制御エンティティ（１４）を含む移動通信ネットワーク。
【請求項１５】
プログラム可能な装置上で実行するときに、
ＵＭＡ／ＧＡＮ加入者に関連するリストであって、前記ＵＭＡ／ＧＡＮ加入者と関連する所定のホームエリアと重なるセルを表すホームエリアセル識別子を含む前記リストを記憶するステップであって、
前記ＵＭＡ／ＧＡＮ加入者はＵＭＡクライアント（８ｃ）を含む複数のユーザ装置（８ａ、８ｂ、８ｃ、９）を有し、ユーザ装置のそれぞれは対応するネットワークアドレスを有すると共に複数のネットワークアドレスのうち１つは前記複数のユーザ装置に含まれるＵＭＡ／ＧＡＮ移動体ユーザ装置（８ｂ）に対応し、
前記リストは、前記ＵＭＡ／ＧＡＮ移動体ユーザ装置（８ｂ）が前記ホームエリアの内部にいると判定された場合に、前記複数のネットワークアドレスの１つに対してなされた呼がルーティングされるべき、前記複数のユーザ装置（８ａ、８ｂ、８ｃ、９）に含まれるユーザ装置の少なくとも１つのネットワークアドレスを表示する第１のインジケータと、前記ＵＭＡ／ＧＡＮ移動体ユーザ装置（８ｂ）が前記ホームエリアの外部にいると判定された場合に、前記複数のネットワークアドレスの１つに対してなされた呼がルーティングされるべき、前記複数のユーザ装置（８ａ、８ｂ、８ｃ、９）に含まれるユーザ装置の少なくとも１つのネットワークアドレスを表示する第２のインジケータとをさらに含み、
前記ＵＭＡ／ＧＡＮ移動体ユーザ装置の位置に関する位置情報を受信するステップと、
前記ＵＭＡ／ＧＡＮ移動体ユーザ装置が前記ホームエリアの内部に位置するか、前記ホームエリアの外部に位置するかを判定するステップと、
前記ＵＭＡクライアント（８ｃ）がアクティブであるか又は非アクティブであるかを判定するステップと、
を実行するように構成されるソフトウェアコード部分を含み、
前記呼がルーティングされるべき前記ネットワークアドレスは、前記第１のインジケータ又は前記第２のインジケータと、前記ＵＭＡクライアント（８ｃ）がアクティブであるか非アクティブであるかの条件とに従って決定される、
ことを特徴とするコンピュータプログラム。
【発明の詳細な説明】
【技術分野】
【０００１】
本発明は、電気通信ネットワークにおける無認可移動アクセス（Unlicensed Mobile Access、ＵＭＡ）グローバルアクセスネットワーク（ＧＡＮ）加入者に関連する複数のユーザ装置の１つへの呼のルーティングの方法に関し、各ユーザ装置は対応するネットワークアドレスを有し、そのネットワークアドレスの１つは、複数のユーザ装置が含む１つのＵＭＡ／ＧＡＮ移動ユーザ装置に対応する。本発明はまた、その方法（の一部）を実行するように構成される、サービス制御エンティティと通信ネットワークとに関する。
【背景技術】
【０００２】
近年、ボイスオーバーＩＰ（ＶＯＩＰ）を介して、そして、汎ヨーロッパデジタル移動通信システム（ＧＳＭ（登録商標））、ユニバーサル移動通信システム（ＵＭＴＳ）、高速パケットアクセス（ＨＳＰＡ）、ロングタームエボリューション（ＬＴＥ）、または同様のもののような移動通信ネットワークを介して電話をかけるのに適した１つの単独の携帯電話を加入者が必要とする携帯電話サービスが導入された。加入者が所定のホームエリア内に存在する、例えば在宅している場合、その加入者は、無線ローカルエリアネットワーク（ＷＬＡＮ）、ＷＩＦＩ（登録商標）（または他のＩＥＥＥ８０２．１１互換接続）、またはブルートゥース（登録商標）のような無線ベースの接続を介して電話をかけるかもしれない。これらの無線ベースの接続を、まとめてＵＭＡ（無認可移動アクセス）と表示する。ＧＳＭ、ＵＭＴＳ、ＨＳＰＡ、ＬＴＥ及び同様のものを、ＧＡＮ（グローバルアクセスネットワーク）と表示する。ＵＭＡとＧＡＮの両方で接続可能な電話機を、ＵＭＡ／ＧＡＮ電話機と表示する。その電話機の能力を使用する加入者に対しては、その加入者は、ＧＡＮとＵＭＡのいずれかへの加入、または組み合わされたＵＭＡ／ＧＡＮへの加入が必要である。以下では、加入者は組み合わされたＵＭＡ／ＧＡＮへ加入していることを仮定する。そのような加入者を、ＵＭＡ／ＧＡＮ加入者と呼ぶ。
【０００３】
最近、ＵＭＡ／ＧＡＮ加入者は、ホームエリアの内側にいるとき、例えば、ボイス・オーバー・インターネット・プロトコル（ＶＯＩＰ）を介して電話をかけるとき、ＵＭＡ／ＧＡＮ移動体通信装置を使って「無料で電話」をする可能性を有するかもしれない。これらのＶＯＩＰの呼は、ＩＰ（インターネットプロトコル）のために月額で課金されるかもしれない。
【０００４】
加入者が、それぞれがユニークな電話番号を有するＵＭＡ／ＧＡＮ移動体通信装置と固定通信装置との両方を有するＵＭＡ−固定の加入を有する場合で、固定番号に関連するＵＭＡ／ＧＡＮ加入者に関連するＵＭＡ／ＧＡＮ移動体通信装置が無線ローカルエリアネットワーク（ＷＬＡＮ）のカバレッジ（固定されたＵＭＡ）の範囲内にある場合、ＵＭＡ／ＧＡＮ移動体通信装置番号上で、固定通信装置の（地理的な）固定番号に設定される呼を受信することもできる。したがって、ＵＭＡ／ＧＡＮ移動体通信装置を「ワン・フォン・コンセプト（one phone concept）」に用いることができる場合、複数の電話番号の１つに対してなされる呼を、ＵＭＡ／ＧＡＮ移動体通信装置へルーティングすることができる。
【発明の概要】
【発明が解決しようとする課題】
【０００５】
一般に、本発明の目的は、無認可移動アクセス／グローバルアクセスネットワーク（ＵＭＡ／ＧＡＮ）加入者と通信サービスプロバイダとの少なくともいずれかに対して、より汎用性を提供することである。
【課題を解決するための手段】
【０００６】
そこへ、本発明によれば、通信ネットワークにおけるＵＭＡ／ＧＡＮ加入者に関連する複数のユーザ装置の１つへ呼をルーティングする方法であって、各ユーザ装置が対応するネットワークアドレスを有し、ネットワークアドレスの１つが、複数のユーザ装置に含まれる１つのＵＭＡ／ＧＡＮ移動ユーザ装置に対応し、通信ネットワークに含まれるサービス制御エンティティが、上述のＵＭＡ／ＧＡＮ加入者に関する、上述のＵＭＡ／ＧＡＮ加入者に関連する所定のホームエリアとオーバーラップするセルエリアを表すホームエリアのセル識別子を含むリストを記憶するステップと、上述のＵＭＡ／ＧＡＮ移動ユーザ装置にサービスを供するセルのサービングセル識別子のような、上述のＵＭＡ／ＧＡＮ移動ユーザ装置の位置に関連する位置情報を受信するステップと、上述のＵＭＡ／ＧＡＮ移動ユーザ装置がホームエリアの内部に位置するかホームエリアの外側に位置するかを判定するステップとを実行し、上述のリストは、さらに、複数のユーザ装置に含まれる１つのユーザ装置の少なくとも１つのネットワークアドレスであって、ＵＭＡ／ＧＡＮ移動ユーザ装置がホームエリアの内部にいると判定された場合に呼がルーティングされるネットワークアドレスを表示する第１のインジケータと、複数のユーザ装置に含まれる１つのユーザ装置の少なくとも１つのネットワークアドレスであって、ＵＭＡ／ＧＡＮ移動ユーザ装置がホームエリアの外部にいると判定された場合に呼がルーティングされるネットワークアドレスを表示する第２のインジケータとを含み、方法は、さらに、移動ユーザ装置がホームエリアの内部にいると判定された場合に第１のインジケータに従って、または、移動ユーザ装置がホームエリアの外部にいると判定された場合に第２のインジケータに従って、ユーザ装置へ呼をルーティングするステップを備える方法が提供される。
【０００７】
任意的に、サービス制御エンティティは、例えばＵＭＡ／ＧＡＮ加入者が、第１のインジケータと第２のインジケータとの少なくともいずれかの、制御と設定と変更との少なくともいずれかを行うことができるように構成される。
【０００８】
これは、複数のユーザ装置の１つへの呼が、複数のユーザ装置のいずれか１つ（または複数）にルーティングされうるという利益を提供する。さらに、サービス制御エンティティの中で、第１のインジケータ及び第２のインジケータの制御、設定および変更の少なくともいずれかを行うことができるという汎用性が提供される。
【０００９】
第１のネットワーク、例えば第１の電話番号を、上述のＵＭＡ／ＧＡＮ加入者の固定通信装置、すなわち固定ユーザ装置に関連付け、第２のネットワークアドレス、例えば第２の電話番号を、上述のＵＭＡ／ＧＡＮ加入者のＵＭＡ／ＧＡＮ移動体通信装置、すなわちＵＭＡ／ＧＡＮ移動ユーザ装置に関連付け、そして、任意的に、第３のネットワークアドレスを、上述のＵＭＡ／ＧＡＮ加入者のＩＰ（インターネットプロトコル）マルチメディア・サブシステム（ＩＭＳ）／セッション開始プロトコル（ＳＩＰ）装置に関連するＵＭＡクライアントに関連付けることができる。
【００１０】
サービス制御エンティティはユーザインタフェースを含み、方法は、そのユーザインタフェースを用いて、第１のインジケータと第２のインジケータとの少なくともいずれかの制御、設定及び変更の少なくともいずれかを行うことができる。したがって、例えば、通信サービスプロバイダとＵＭＡ／ＧＡＮ加入者の少なくともいずれかが、必要に応じて、ＵＭＡ／ＧＡＮ移動ユーザ装置がホームエリアの内部と外部にそれぞれ存在すると判定された場合に対して個別に、複数のユーザ装置のうちいずれか１つまたは複数に呼がルーティングされるべきかを変更することができる。ＵＭＡ／ＧＡＮ加入者は、例えば、複数のユーザ装置のいずれか１つへの呼が、そこに関して最小コストを有するそのユーザ装置へ常にルーティングされるように、第１のインジケータと第２のインジケータとを設定してもよい。
【００１１】
サービス制御エンティティは、規則に基づいて、自動的に第１のインジケータと第２のインジケータとの少なくともいずれかを決定することができる。そのようなルールは、例えば、複数のユーザ装置のいずれか１つへの呼が、そこに関して最小コストを有するそのユーザ装置へ常にルーティングされるというものであってもよい。
【００１２】
第１のインジケータと第２のインジケータとの少なくともいずれかは、複数のユーザ装置の中の１つより多くのユーザ装置へ、並行して、連続して、または並行及び連続して、呼をルーティングすることを表示することができる。したがって、呼がただ１つのユーザ装置に対してなされた場合に、２つ以上のユーザ装置のベルを同時に鳴らすことができる。同時にベルを鳴らすことを適用するか否かと、いずれのユーザ装置に対して並行してベルを鳴らすかとの少なくともいずれかは、ＵＭＡ／ＧＡＮ移動ユーザ装置がホームエリアの内部にいるか外部にいるかに依存してもよい。
【００１３】
本発明はまた、通信ネットワークにおける、複数のユーザ装置を有するＵＭＡ／ＧＡＮ加入者にインテリジェントネットワークサービスを提供するためのサービス制御エンティティにも関し、各ユーザ装置は対応するネットワークアドレスを有し、ネットワークアドレスの１つは、複数のユーザ装置に含まれるＵＭＡ／ＧＡＮ移動ユーザ装置に対応し、上述のサービス制御エンティティは、処理部、処理部に接続される入力部、および処理部に接続される出力部を有し、処理部は、上述のＵＭＡ／ＧＡＮ加入者に関するリストであって、上述のＵＭＡ／ＧＡＮ加入者に関連する所定のホームエリアにオーバーラップするセルのエリアを表すホームエリアのセル識別子を含むリストを記憶し、上述のＵＭＡ／ＧＡＮ移動ユーザ装置にサービスを提供するセルのサービングセル識別子のような上述のＵＭＡ／ＧＡＮ移動ユーザ装置の位置に関連する位置情報を受信し、上述のＵＭＡ／ＧＡＮ移動ユーザ装置がホームエリアの範囲内に位置するかホームエリアの外部に位置するかを判定するために構成され、上述のリストは、さらに、ＵＭＡ／ＧＡＮ移動ユーザ装置がホームエリアの内部にいると判定された場合に呼がルーティングされるべきネットワークアドレスであって、複数のユーザ装置に含まれる１つのユーザ装置の少なくとも１つのネットワークアドレスを表示する第１のインジケータと、ＵＭＡ／ＧＡＮ移動ユーザ装置がホームエリアの外部にいると判定された場合に呼がルーティングされるべきネットワークアドレスであって、複数のユーザ装置に含まれる１つのユーザ装置の少なくとも１つのネットワークアドレスを表示する第２のインジケータとを含む。
【００１４】
本発明は、さらに、プログラム可能な装置上で実行されるときに、各ユーザ装置が対応するネットワークアドレスを有し、ネットワークアドレスの１つは、複数のユーザ装置に含まれるＵＭＡ／ＧＡＮ移動ユーザ装置に対応する、複数のユーザ装置を有するＵＭＡ／ＧＡＮ加入者に関するリストであると共に、上述のＵＭＡ／ＧＡＮ加入者に関連する所定のホームエリアにオーバーラップするセルのエリアを表すホームエリアのセル識別子を含むリストであって、さらに、ＵＭＡ／ＧＡＮ移動ユーザ装置がホームエリアの内部にいると判定された場合に、複数のネットワークアドレスの１つに対してなされた呼をルーティングすべきネットワークアドレスであって、複数のユーザ装置に含まれる１つのユーザ装置の少なくとも１つのネットワークアドレスを表示する第１のインジケータと、ＵＭＡ／ＧＡＮ移動ユーザ装置がホームエリアの外部にいると判定された場合に、複数のネットワークアドレスの１つに対してなされた呼をルーティングすべきネットワークアドレスであって、複数のユーザ装置に含まれる１つのユーザ装置の少なくとも１つのネットワークアドレスを表示する第２のインジケータとを含むリストを記憶するステップと、上述のＵＭＡ／ＧＡＮ移動体通信装置についての、上述のＵＭＡ／ＧＡＮ移動ユーザ装置にサービスを提供するセルのサービングセル識別子のような、上述のＵＭＡ／ＧＡＮ移動ユーザ装置の位置に関連する位置情報を受信するステップと、上述のＵＭＡ／ＧＡＮ移動ユーザ装置がホームエリアの内部に位置するかホームエリアの外部に位置するかを判定するステップと、任意的に、第１のインジケータと第２のインジケータの少なくともいずれかの制御、設定及び変更の少なくともいずれかを許可するステップとを実行するために構成されるソフトウェアコードの一部を含むコンピュータプログラム製品に関する。
【００１５】
本発明はまた、上述の請求項のコンピュータプログラム製品を含むデータ記憶媒体にも関する。ここで、データ記憶媒体は、例えば、ハードディスクのような磁気データ記憶媒体、コンパクトディスク（ＣＤ）のような光学データ記憶媒体、ソリッドステート装置のデータ記憶媒体、またはイントラネットまたはインターネット上で利用可能であるような搬送波を含んでもよい。
【００１６】
このように、本発明による方法は、例えば、受信者が呼の受信部分に対して代金を支払う必要がある場合に、加入者のユーザ装置の１つに対して生じた呼を、最安の、または最も効率的なルートを介してルーティングすることが可能であるという利益を提供する。例えば、加入者がホームエリアに位置する場合、（呼び出されたユニークなネットワークアドレスに対応するあるユーザ装置に対してなされて）生じた呼を、固定ユーザ装置及びＵＭＡ／ＧＡＮ移動ユーザ装置へ並行してルーティングすることが可能である。ＵＭＡクライアントがアクティブである場合、ＵＭＡ／ＧＡＮ移動ユーザ装置に対してなされて生じた呼を、加入者のパーソナルコンピュータ（ＰＣ）又はＩＰ（インターネットプロトコル）マルチメディア・サブシステム／セッション開始プロトコル（ＩＭＳ／ＳＩＰ）電話機におけるＵＭＡクライアントへルーティングすることが可能である。複数のユーザ装置の１つを用いた呼の設定時に、発信呼に対して、ある共通の選択された番号を表示すること（電話番号表示、Calling Line Indication）が可能である。１人の加入者の全てのユーザ装置に共通の１つの共通のボイスメールボックスに、不在着信をルーティングすることが可能である。
【００１７】
ここで、図面を参照する非制限的な例を用いて、本発明がより明らかにされるであろう。
【図面の簡単な説明】
【００１８】
【図１】本発明によるシステムを概略的に表示する図。
【図２】本発明の実施形態によるネットワーク要素の高レベルな概観を示す図。
【図３】本発明の構造の実施形態を示す図。
【図４】本発明による、呼の考えうる終端のフローチャート。
【図５】本発明による、呼の別の終端のフローチャート。
【図６】本発明による、呼の考えうる発信のフローチャート
【発明を実施するための形態】
【００１９】
図１は、本発明を組み込んだシステム１の概略表現を示している。図１は、呼び出すパーティ（calling party）Ａのユーザ装置４、この例では通信装置４と、スイッチングノードとして機能する移動交換センタ（ＭＳＣ）６とを含む通信ネットワーク２を示している。この通信ネットワークにおいて、呼び出されるパーティ（called party）Ｂが存在する。この例において、呼び出されるパーティは、ＵＭＡ／ＧＡＮ加入に関連する複数の通信装置を有する無認可移動アクセス／グローバルアクセスネットワーク（ＵＭＡ／ＧＡＮ）加入者である。
【００２０】
この例では、呼び出されるパーティＢは、複数のユーザ装置を有する。この例において、複数のユーザ装置は、固定ユーザ装置、ここでは（ＵＭＡホーム電話機とも呼ばれる）固定通信装置８ａと、ＵＭＡ／ＧＡＮ移動ユーザ装置、ここでは（ＵＭＡ／ＧＡＮ移動体装置とも呼ばれる）ＵＭＡ／ＧＡＮ移動体通信装置８ｂと、ＵＰ（インターネットプロトコル）マルチメディア・サブシステム／セッション開始プロトコル（ＩＭＳＳＩＰ）装置８ｃと関連するＵＭＡクライアントを備えるユーザ装置とを含む。この例において、第１のネットワークアドレス、ここでは第１の電話番号は、固定通信装置８ａに関連付けられ、第２のネットワークアドレス、ここでは第２の電話番号は、ＵＭＡ／ＧＡＮ移動体通信装置８ｂと関連付けられ、そして、第３のネットワークアドレスは、上述のＵＭＡ／ＧＡＮ加入者のＩＭＳ／ＳＩＰ装置８ｃに関連するＵＭＡクライアントと関連付けられる。
【００２１】
この例では、呼び出すパーティＡは、呼び出されるパーティＢの通信装置８ａ、８ｂ、８ｃの１つに関連するネットワークアドレスの１つに対して、電話をかける。
【００２２】
図１では、ネットワーク２は、さらに、位置サーバとして機能するホームロケーションレジスタ（ＨＬＲ）１０を含む。この例において、ネットワーク２は、さらに、インテリジェントネットワーク（ＩＮ）１２を含む。ＩＮ１２は、サービスノードとして機能する。ここで、インテリジェントネットワーク１２は、サービス制御エンティティ１４を含む。
【００２３】
図１の例において、サービス制御エンティティは、呼び出されるパーティＢに関するリストを格納するリポジトリを備える。リストは、呼び出されるパーティＢのホームエリアを表す情報を含む。そのような情報は、例えば、上述の呼び出されるパーティＢに関連する所定のホームエリアにオーバーラップするセルのエリアを表すホームエリアのセル識別子を含んでもよい。
【００２４】
呼び出されるパーティＢのＵＭＡ／ＧＡＮ加入者は、ホームエリアの範囲内、例えば自宅、またはホームエリアの外側に存在しうることが理解されるであろう。ネットワーク２は、ＵＭＡ／ＧＡＮ加入者の位置を、例えば、ＵＭＡ／ＧＡＮ加入者がＵＭＡ／ＧＡＮ移動体通信装置８ｂを携行することを仮定して、ＵＭＡ／ＧＡＮ移動体通信装置８ｂの位置を判定することにより判定してもよい。それに加えて、サービス制御エンティティ１４は、ＵＭＡ／ＧＡＮ移動体通信装置８Ｂの位置に関連する位置情報を受信してもよい。サービス制御エンティティは、例えば、上述のＵＭＡ／ＧＡＮ移動体通信装置８ｂにサービスを提供するセルのサービングセル識別子を、ＨＬＲ１０またはＭＳＣ６から受信してもよい。
【００２５】
この例では、リストは、複数のユーザ装置に含まれる１つのユーザ装置８ａ、８ｂ、８ｃの少なくとも１つのネットワークアドレスであって、ＵＭＡ／ＧＡＮ移動体通信装置８ｂがホームエリアの範囲内にいると判定された場合に、複数のネットワークアドレスの１つに対してなされた呼がルーティングされるべきネットワークアドレスを表示する、第１のインジケータをさらに含む。この例では、リストは、複数のユーザ装置に含まれる１つのユーザ装置８ａ、８ｂ、８ｃの少なくとも１つのネットワークアドレスであって、ＵＭＡ／ＧＡＮ移動体通信装置８ｂがホームエリアの外部にいると判定された場合に、複数のネットワークアドレスの１つに対してなされた呼がルーティングされるべきネットワークアドレスを表示する、第２のインジケータをさらに含む。
【００２６】
図１においては、ネットワーク２は、サービス制御エンティティ１４に関連するグラフィカルユーザインタフェース（ＧＵＩ）を備える。ＵＭＡ／ＧＡＮ加入者Ｂは、ＧＵＩ１６に、例えば、好ましくはセキュアな、インターネット接続を介してアクセスしてもよい。ＵＭＡ／ＧＡＮ加入者は、第１のインジケータＦＩと第２のインジケータＳＩの、制御、設定及び変更の少なくともいずれかを、ＧＵＩ１６を用いて行ってもよい。ＵＭＡ／ＧＡＮ加入者Ｂは、例えば、第１のインジケータと第２のインジケータとを例示の表１にあるように設定してもよい。
【００２７】
【表１】
0005525053.tif 000002
【００２８】
ここまで説明したシステム１は、以下のように用いられてもよい。
【００２９】
呼び出すパーティＡは、ネットワークアドレスの１つ、例えば、呼び出されるパーティＢに関連する複数の電話番号のうち電話を掛ける１つを選択することにより、呼び出されるパーティＢへの呼を開始する。この例では、呼び出されるＵＭＡ／ＧＡＮ加入者Ｂの固定通信装置８ａに関連するネットワークアドレスに対して、呼が開始される。呼は、呼び出し装置４からＭＳＣ６へ送信される（矢印ａ１）。ＭＳＣ６は、ＨＬＲ１０において、ＵＭＡ／ＧＡＮ移動体通信装置８ｂに関連する位置情報を調べる（ａ２、ａ３）。ＭＳＣ６は、追加的にＨＬＲ１０において加入情報を調べてもよいことが理解されるであろう。そのような加入情報は、例えば、現在のＵＭＡ／ＧＡＮ加入者が当面の機能性を使用する資格があるか否かを表示してもよい。以下では、ＵＭＡ／ＧＡＮ加入者は機能性を使用する資格があるものとする。
【００３０】
次に、ＭＳＣ６は、その呼をどこにルーティングするかを判定する。それに加えて、ＭＳＣ６は、ＩＮ１２とコンタクトをとる（ａ４、ａ５）。ＩＮ１２は、第１のインジケータと第２のインジケータとを備える。この例では、第１のインジケータと第２のインジケータとは、表１に与えられるように設定される。この例では、ＭＳＣ６は、位置情報をＩＮ１２へ転送する。ＩＮ、この場合、サービス制御エンティティ１４は、上述のＵＭＡ／ＧＡＮ移動体通信装置８ｂがホームエリアの範囲内に位置するか、ホームエリア外に位置するかを判定する。ＵＭＡ／ＧＡＮ移動体通信装置８ｂがホームエリア内にいると判定された場合、サービス制御エンティティ１４は、第１のインジケータに従って、すなわち、この例では、固定通信装置８ａに向けて、呼をルーティングすべきであることを決定する。ＵＭＡ／ＧＡＮ移動体通信装置８ｂがホームエリア外にいると判定された場合、サービス制御エンティティ１４は、第２のインジケータに従って、すなわち、この例では、ＵＭＡ／ＧＡＮ移動体通信装置８ｂに向けて呼をルーティングすることを決定する。
【００３１】
上の例では、ＵＭＡ／ＧＡＮ移動体通信装置８ｂは、ホームエリアの内部にいる場合、ホームエリアの範囲内の無線ローカルエリアネットワーク（ＷＬＡＮ）装置に接続してもよい。あるいは、ＵＭＡ／ＧＡＮ移動体通信装置８ｂは、家庭用回線において、フェムトセルまたはピコセルに接続してもよい。フェムトセルまたはピコセルは、汎ヨーロッパデジタル移動通信システム（ＧＳＭ）コアネットワークと同一のコアネットワークを使用する。違いは、「フェムトセル基地局」または「ピコセル基地局」は、宅内通信に使用される、極めて制限されたカバレッジを有する標準基地局に使われることである。基地局は、ユニークなセルＩＤ（位置情報）を用いる。この位置情報は、ＨＬＲの内部においても利用可能である。
【００３２】
ＨＬＲ１０におけるＵＭＡ／ＧＡＮ移動体通信装置８ｂに関連する位置情報は、ＵＭＡ／ＧＡＮ移動体通信装置８ｂがホームエリア内のＷＬＡＮ装置との接続を確立することに基づいて更新される。インターネットプロトコル（ＩＰ）接続がある場合、ワイドエリアネットワーク（ＷＡＮ）上でカバレッジがあり、そしてＷＡＮ接続の位置に対応する、例えばホームエリアに対応する、ユニークなセルＩＤを用いてＨＬＲの位置情報が更新されてもよい。ＩＰ接続がない場合、例えば、在宅時にＵＭＡ／ＧＡＮ移動体通信装置のスイッチをオフとしている場合、ＨＬＲは、最後に知ったセルＩＤを記憶してもよい。
【００３３】
また、追加的または選択的に、上述のＵＭＡ／ＧＡＮ加入者がアクティブ化または非アクティブ化したＩＭＳ／ＳＩＰ装置８ｃと関連するＵＭＡクライアントに基づいて、ＵＭＡ／ＧＡＮ加入者の位置を決定することもできる。ＵＭＡクライアント８ｃがアクティブである場合、サービス制御エンティティ１４は、ＵＭＡ／ＧＡＮ加入者がホームエリアにいると判定してもよい。また、ＨＬＲの内部の位置情報をそれに応じて更新してもよい。
【００３４】
複雑な実施形態では、到来した呼をＵＭＡ／ＧＡｎ加入者の複数の装置へルーティングするように、第１のインジケータと第２のインジケータとの少なくともいずれかを設定してもよい。したがって、２つ以上の装置のベルを並行して鳴らすことを実現することができる。
【００３５】
上の例で、呼がルーティングされる先の通信装置が応答しない場合、呼を装置８ａ、８ｂ、８ｃのほかの装置へ転送してもよい。これが発生するか否か、そしてルーティングされる装置の順序は、第１のインジケータと第２のインジケータとの少なくともいずれかにおいて表示されてもよい。
【００３６】
装置８ａ、８ｂ、８ｃのいずれもが呼に応答しない場合、その呼を共通のボイスメールサービスに転送してもよい。これは、ＵＭＡ／ＧＡＮ加入者が、その加入者の通信装置８ａ、８ｂ、８ｃのいずれかに対してなされた全てのボイスメッセージを１つの共通のボイスメールボックスに有しうるという利点を提供する。
【００３７】
図２は、本発明の実施形態によるネットワーク要素の高レベルの概観を示している。図３は、本発明による構造の実施形態を示す。図２および３に示される例を参照して、サービスノード１２は、インテリジェントネットワーク能力を提供するサーバである。そのようなサービスノードの例は、ＩＮサービスロジックを実装する、エリクソンのＩＮ（インテリジェンシーネットワーク）（ＴＳＰ（通信サービスプラットフォーム））またはＥＣＥ（エリクソンコンポジションエンジン）プラットフォームである。サービスノード１２は、インタフェースエンティティ１８を介して、例えば、顧客管理インタフェース第３世代（ＣＡＩ  ３Ｇ）を用いて、ネットワークオペレータのビジネスサポートシステム（ＢＳＳ）に接続されてもよい。インタフェースエンティティは、例えば、エリクソンマルチアクティベーション（ＥＭＡ）エンティティとマルチメディエーション（ＭＭ）エンティティとの少なくともいずれかであってもよい。
【００３８】
これらの例において、コアネットワークは、移動交換センタ（ＭＳＣ）６と、ホームロケーションレジスタ１０とを備える。コアネットワークに含まれるＵＭＡノードは、ホームサポートノード（ＨＳＮ）と、ホーム基地局制御装置（ＨＢＳＣ）とを備える。これらの例では、コアネットワークがＧＳＭアプリケーションのための基地局制御装置を備えてもよいことを示している。
【００３９】
これらの例において、アクセスネットワークは、ホームエリアの範囲内におけるＷｉＦｉ（または他のＩＥＥＥ８０２．１１互換接続）のアクセスポイント（ＷｉＦｉＡＰ）と公衆ＷｉＦｉＡＰとを備える。
【００４０】
これらの例において、ＵＭＡ／ＧＡＮ加入者は、ＲＪ１１ポート、加入者識別モジュール（ＳＩＭ）及び個別のＭＳＩＳＤＮＵＭＡ（移動局サービス総合デジタルネットワーク／無認可移動アクセス）固定通信装置を備えるＷｉＦｉアクセスポイントとして、またはホームエリアにおける有線接続を有する電話として、設計されたＵＭＡ自宅電話８ａを所有する。ＵＭＡ自宅電話８ａは、ホームエリア内においてＷｉＦｉＡＰに接続してもよい。これらの例では、ＵＭＡ／ＧＡＮ加入者は、さらに、ＵＭＡとＧＳＭの両方を介して接続することができるＵＭＡ／ＧＡＮ移動体装置８ｂを所有する。ホームエリア内に位置するとき、ＵＭＡ／ＧＡＮ移動体装置８ｂは、ホームエリア内のＷｉＦｉＡＰに接続してもよい。これらの例では、ＵＭＡ／ＧＡＮ加入者は、さらに、ＰＣまたはＳＩＰ電話機に対してＵＭＡ能力を提供するドングルのような、ＵＭＡクライアント８ｃを所有する。そして、ＰＣまたはＳＩＰ電話は、公衆ＷｉＦｉＡＰに接続してもよい。
【００４１】
図２および３の例では、ＵＭＡ／ＧＡＮ加入者のＧＳＭのみの電話９も示され、当該ＧＳＭのみの電話９は基地局（ＢＳ）を介してネットワークに接続してもよい。
【００４２】
図１の例では、サービス制御エンティティのユーザインタフェースを用いて、第１のインジケータ及び第２のインジケータの少なくともいずれかの、制御、設定及び変更の少なくともいずれかが行われた。したがって、ＵＭＡ／ＧＡＮ加入者は、例えば、第１のインジケータと第２のインジケータとの少なくともいずれかの、制御、設定及び変更を自ら行うことができた。第１のインジケータと第２のインジケータとの少なくともいずれかの制御、設定及び変更の少なくともいずれかを、ネットワークオペレータとサービスプロバイダの少なくともいずれかが行うこともできる。第１のインジケータと第２のインジケータとの少なくともいずれかの制御、設定及び変更を規則に基づいて行うこともできよう。例えば、呼び出されたＵＭＡ／ＧＡＮ加入者が到来した呼のコストの少なくとも一部を負担しなければならないと仮定すると、装置８ａ、８ｂ、８ｃのうち、それに関連するコストが最小の１つへのＵＭＡ／ＧＡＮ加入者のネットワークアドレスの１つへ、呼をルーティングすることができる。そのようなものとして、ネットワークオペレータとサービスプロバイダの少なくとも一方は、第１のインジケータと第２のインジケータとの少なくともいずれかを予め設定することができよう。また、ルールに基づいて、第１のインジケータと第２のインジケータとの少なくともいずれかを自動的に決定するように、サービス制御エンティティを構成することも可能である。ここでは、サービス制御エンティティは、例えば、料金の変更、時刻などのようなパラメータを考慮に入れてもよい。
【００４３】
図４は、本発明による、考えうる呼を終端させるフローチャートである。この例では、第１のインジケータと第２のインジケータは、条件付きの設定がされる。条件を簡単な形式で表２に示す。装置のベルが鳴っているが応答がない場合に、さらなる条件が生じてもよいことが理解されるであろう。
【００４４】
【表２】
0005525053.tif 000003
【００４５】
図４の例では、サービス制御エンティティは、まず、ＵＭＡ／ＧＡＮ加入者が、その加入の範囲内においてＵＭＡクライアント８ｃを有しているかをチェックする（３０１）。次に、サービス制御エンティティは、ＵＭＡ／ＧＡＮ加入者が接続されたＵＭＡクライアント８ｃを有しているかをチェックする（３０２）。
【００４６】
ここで、（別の手順により）ＵＭＡクライアントがアクティブ化されている場合は、自宅電話８ａ、ＵＭＡ／ＧＳＭ装置８ｂ、またはＵＭＡクライアントへのあらゆる呼は、ＵＭＡクライアントの宛先へルーティングされるであろう（３０３）。ＴＳＰ（アプリケーション）は、例えば、（例えばシンプル・オブジェクト・アクセス・プロトコル（ＳＯＡＰ）上で）ホームサポートノード（ＨＳＮ）に、ドングルが接続されているかを、例えばＷＬＡＮカバレッジがあるかをチェックすることにより、要求してもよい。ＵＭＡクライアントが利用可能でない、またはアクティブでない場合、この例では、サービス制御エンティティは、加入者にとってＵＭＡ能力が利用可能であるかをチェックする（３０８）。利用可能でない場合、呼はＧＳＭ電話９へルーティングされる（３１４）。
【００４７】
ＵＭＡ能力が利用可能である場合、この例においては、サービス制御エンティティは、ＵＭＡ／ＧＡＮ移動体装置８ｂがホームエリアの範囲内にいるかホームエリアの範囲外にいるかをチェックする（３０９）。ＴＳＰは、例えば、（ＳＯＡＰ上で）ＨＳＮに、ＵＭＡ／ＧＡＮ移動体装置がＷＬＡＮを介して接続されているかを要求してもよい。
【００４８】
この例では、ＵＭＡ／ＧＡＮ移動体装置８ｂは、ホームエリアの範囲内にいると判定され、呼は、ＵＭＡ／ＧＳＭ移動体装置８ｂと自宅電話８ａとに並行してルーティングされる（３１０〜３１３）。このように、自宅電話８ａとＧＳＭ／ＵＭＡ／ＧＡＮ移動体装置８ｂの両方が同時にベルを鳴らすであろう。
【００４９】
この例において、ＵＭＡ／ＧＡＮ加入者がホームエリアの外側にいる場合は、到来した呼は、加入者のＵＭＡ／ＧＳＭ移動体装置８ｂへルーティングされるであろう（３１５、３１６、３１７、３１９）。
【００５０】
ＵＭＡ／ＧＡＮ移動体装置８ｂが接続されていない、例えばスイッチがオフである場合、ＴＳＰ（例えば、ＭＡＰプロトコルのＡｎｙＴｉｍｅＩｎｔｅｒｒｏｇａｔｉｏｎ）により、「最新の」位置をチェックするためにＨＬＲが起動されるであろう。「通常の」セルＩＤ（ＷＬＡＮカバレッジを特定するセルＩＤではない）が戻ってきた場合、サービス制御エンティティは、ＵＭＡ／ＧＡＮ加入者がホームエリアの外側にいると判定してもよい。
【００５１】
図４の例で、呼がルーティングされた装置が呼に応答しない場合、その呼は、他の装置へ転送されてもよいことを理解することができる。
【００５２】
ＵＭＡ／ＧＡＮ加入者の位置の決定は、以下のように実行されてもよい。
【００５３】
ＨＳＮがＩＮサービスにより起動されてもよい。ＩＰ接続がある場合、ＵＭＡ／ＧＡＮ加入者は「ホームエリア内」と分類されてもよい。ＩＰ接続がない場合、ＧＳＭ上でＵＭＡ／ＧＡＮ移動体装置にサービスを提供するセルのセルＩＤをチェックするために、ＨＬＲを起動してもよい。ＵＭＡ／ＧＡＮ移動体装置８ｂが所定のホームエリアと重なる「ホームエリアセル」に関連するセルＩＤを有するサービングセルに範囲内にいることをセルＩＤが特定する場合、加入者は、「ホームエリア内にいるがＵＭＡ接続がない」と特定されてもよい。加入者がホームエリアセルにいないことをセルＩＤが特定する場合、ユーザは、「ホームエリアの範囲外」と特定されてもよい。
【００５４】
図４の例では、全ての装置８ａ、８ｂ、８ｃ、９は、それぞれの装置の個別の移動体加入者サービス総合デジタルネットワーク（ＩＳＤＮ）番号（ＭＳＩＳＤＮ）に対して、１つの共通のボイスメールボックス、すなわち、１つのボイスメールデポジット番号（ＶＭＤＮ）と１つのボイスメール取得番号（ＶＭＲＮ）とを有する。これは、呼を監視することにより、そして、呼設定が失敗した場合に呼を共通のボイスメールの宛先番号へルーティングすると共にユーザ識別子を用いてリダイレクト番号を満たすことにより（例えば、宛先はＵＭＡ  ＧＳＭボイスメール（ＶＭ）番号であってもよく、リダイレクト番号はＵＭＡ  ＧＳＭ  ＭＳＩＳＤＮであってもよい）、実行される。
【００５５】
図５は、本発明による、もう１つの呼を終端させるフローチャートを示している。この例では、サービス制御エンティティは、ＵＭＡクライアントをチェックすることによっては起動されず、例えば、加入者がＵＭＡドングルの接続ができるかをチェックすることにより、加入者にとってＵＭＡ能力が利用可能かをチェックすること（３０８）、そしてＵＭＡ能力が利用可能である場合、ＵＭＡ／ＧＡＮ移動体装置８ｂがホームエリアの内部にいるか、外部にいるかをチェックすること（３０９）で、起動する。
【００５６】
図５の例では、ＵＭＡ／ＧＳＭ移動体装置８ｂがホームエリアの外側にいる場合は、到来した呼は、ＧＳＭを介してＵＭＡ／ＧＳＭ移動体装置へ、そして、（アクティブ化されている場合は）ＵＭＡクライアント８ｃへ、並行してルーティングされる（３２０）。ここで、ＵＭＡ／ＧＳＭ移動体装置８ｂとＵＭＡクライアント装置８ｃは、並行してベルを鳴らすであろう。
【００５７】
図６は、本発明による、考え得る発呼のフローチャートを示している。
【００５８】
ＩＮサービスは、ＵＭＡクライアントを介して呼を設定する場合に、ＵＭＡ／ＧＡＮ加入者へＧＳＭハンドセットＭＳＩＳＤＮを表示できる可能性を提供する。特定の国際移動体加入者識別子（ＩＭＳＩ）（この場合ＵＭＡクライアントのＩＭＳＩ）が、アクセスのためにいずれのアクセスポイント（ＡＰ）を使用することができることを特定することができる。発信ＵＭＡサービスは、発呼する場合に対して定められるサービスキーを伴う移動体加入者の加入情報（発呼インテリジェントネットワークカテゴリキー）に基づいてトリガされる。ＵＭＡサービス（ＩＤＰ）の起動後、属するＧＳＭハンドセットＭＳＩＳＤＮの探索（６０２）が実行されるであろう。呼設定は、示された番号（追加呼び出しパーティ番号、Additional Calling Party Number）６０３としてのＧＳＭハンドセットＭＳＩＳＤＮと、表示された発呼線識別子（Calling Line Identity Presented、ＣＬＩＰ）とを用いて確立されるであろう（接続６０４）。
【００５９】
上述の明細書においては、本発明は、本発明の実施形態の特定の例を参照して説明されている。しかしながら、添付の請求項において説明されるように、本発明のより広い精神や範囲から離れることなく、その中において様々な変形や変更がなされうることは明らかであろう。
【００６０】
例において、ホームエリアの内部にいる場合にホームエリア内の無線ローカルエリアネットワーク（ＷＬＡＮ）装置に接続するＵＭＡ／ＧＡＮ移動体ユーザ装置について述べている。代わりに、または追加的に、移動体ユーザ装置８ｂは、ホームエリアの内部にいる場合に、家庭用回線における移動体のためのフェムトセルまたはピコセルへ接続してもよい。フェムトセルまたはピコセルは、ＧＳＭコアネットワークと同一のコアネットワークを使用する。違いは、「フェムトセル基地局」または「ピコセル基地局」は、宅内通信に使用される、極めて制限されたカバレッジを有する標準基地局に使われることである。基地局は、ユニークなセルＩＤ（位置情報）を用いる。この位置情報は、ＨＬＲの内部においても利用可能である。
【００６１】
しかしながら、他の変形、変化、及び代替も可能である。したがって、本明細書、図面及び例は、制限的な意味よりむしろ例示とみなされるべきである。
【００６２】
請求項において、丸括弧の間のあらゆる参照符号は、請求項を制限するように解釈されるべきでない。用語「comprising（含む、備える）」は、請求項に記載された以外の特徴またはステップの存在を排除しない。さらに、用語「a」及び「an」は、「ただ１つ」と制限されるように解釈されるべきでなく、かわりに、「少なくとも１つ」を意味するのに用いられ、複数を排除しない。単に互いに異なる請求項においてある尺度が挙げられることは、これらの尺度の組み合わせが利益を得るためには用いられないということを示すものではない。
【図１】
0005525053.tif 000004
【図２】
0005525053.tif 000005
【図３】
0005525053.tif 000006
【図４】
0005525053.tif 000007
【図５】
0005525053.tif 000008
【図６】
0005525053.tif 000009